(57)【要約】【課題】  周期的位置登録手段を導入してもトラフィックの集中を防止する。【解決手段】  周期的位置登録手段の導入する時刻ｔ０で周期タイマに設定する設定時間Ａの情報を各携帯無線端末に送信する。これを受信した携帯無線端末は、自機の識別情報と設定時間Ａからタイマ時間δを算出して周期タイマに設定する。各携帯無線端末は、算出した固有のタイマ時間δ後の時刻ｔ１において位置登録を行い、以後は設定時間Ａ毎のタイミングで位置登録を行う。これにより、携帯無線端末毎に分散して位置登録を行えるようになる。【選択図】  図２
2005101897.tif 000002
【特許請求の範囲】
【請求項１】
所定の周期毎に位置登録を行うことができる機能を有する携帯無線端末であって、
前記所定の周期を設定する指示がされたことを検出した際に、設定される周期内において自機の識別番号情報に応じて分散される分散タイマ値を生成する生成手段と、
該生成手段が分散タイマ値を生成した際に前記分散タイマ値が設定され、以後はタイムアップする毎に前記所定の周期が設定される周期タイマと、
少なくとも、前記周期タイマがタイムアップする毎に位置登録を行う位置登録手段と、
を備えていることを特徴とする携帯無線端末。
【請求項２】
所定の周期毎に位置登録を行うことができる機能を有する携帯無線端末であって、
属するエリアから前記所定の周期を設定する指示がされたことを検出した際に指示された所定の周期が設定されると共に、以後はタイムアップする毎に前記所定の周期が設定される周期タイマと、
少なくとも、前記周期タイマがタイムアップする毎に位置登録を行う位置登録手段と、
を備えていることを特徴とする携帯無線端末。
【請求項３】
メールを授受することができる機能を有する携帯無線端末であって、
圏外から圏内に移動したことを検出した際に、所定の周期内において自機の識別番号情報に応じて分散される分散タイマ値を生成する生成手段と、
該生成手段が生成した分散タイマ値が設定される周期タイマと、
前記周期タイマがタイムアップした際に未送信のメールの送信を行う送信手段と、
を備えていることを特徴とする携帯無線端末。
【発明の詳細な説明】
【技術分野】
【０００１】
本発明は、トラフィックの集中を防止することのできる携帯無線端末に関するものである。
【背景技術】
【０００２】
携帯無線端末への着信時に、携帯無線端末の位置が不明であると着信できないため、従来、移動通信網内のルーチング上の登録エリアを移動するたびに、移動通信網へ携帯無線端末の位置を登録するようにしている。すなわち、携帯無線端末は待受け中に携帯無線端末の位置を設定されたエリア単位ごとにネットワーク側に登録している。この制御が位置登録制御であり、通常、報知チャネルで放送される位置情報が変化すると携帯無線端末は位置登録を行うようにしている。この場合、基地局から位置登録エリアを示すエリア番号が無線回線で報知されており、携帯無線端末は常時、自端末内に記憶されている報知されたエリア番号と現在報知されているエリア番号とを照合し、不一致になったときに携帯無線端末から位置登録信号を移動通信網へ送出する。この位置登録信号は、基地局を介して移動通信交換局（ＭＳＣ）へ送られ、ＭＳＣでは移動通信網内をルーチング可能な位置情報に変換してＨＬＲ（Home Location Register）にその位置情報を送出し、ＨＬＲでは携帯無線端末番号対応にその位置情報を記憶している。これにより、携帯無線端末が移動してもＨＬＲを参照することにより移動した位置を知ることができるようになる。
また、携帯無線端末はルーチング上の登録エリアを移動しない場合にも、自端末内に記憶されている報知されたエリア番号に基づく位置登録信号を所定の周期毎に移動通信網へ送出している。これにより、ある定められた時間以上位置登録信号を送出しない携帯無線端末は電源が断になっているものとして、着信通知をしないようにすることができる。
【０００３】
ところで、携帯無線端末が属する移動通信網が初めて構築された際には、携帯無線端末は所定の周期毎に位置登録信号を移動通信網へ送出することは行っていなかった。そこで、稼働中の移動通信網において、移動しない場合にも所定の周期毎に携帯無線端末に位置登録信号を送出させる手段（以下、「周期的位置登録手段」という）を移動通信網に導入する場合の動作を図３に示す。この場合、携帯無線端末は所定の周期毎に位置登録信号を送出するための周期タイマを有しており、周期的位置登録手段を移動通信網に導入する以前には、周期タイマのタイマ時間は”０”に設定されていた。そして、周期タイマのタイマ時間を有意の値に設定することにより、周期的位置登録手段を移動通信網に導入することができる。この周期タイマの設定は、ユーザが行うものではなく移動通信網における制御チャネル等を用いて各携帯無線端末に設定信号を送ることにより行っている。ここで、周期的位置登録手段を移動通信網に導入すべく時刻ｔ０において各携帯無線端末に周期タイマのタイマ時間を設定する設定信号を送ったとすると、これを受信した各携帯無線端末では周期タイマに時刻ｔ０においてタイマ時間Ａがセットされるようになる。すると、各携帯無線端末においては周期タイマがタイムアップするＡ時間後の時刻ｔ１１に位置登録信号を送信するようになる。この位置登録信号の送信は、各携帯無線端末から時刻ｔ１１のタイミングで一斉に行われることからＡ時間毎に一時的にトラフィックが集中してしまい問題であった。
【発明の開示】
【発明が解決しようとする課題】
【０００４】
そこで、本発明は、稼働中の移動通信網に周期的位置登録手段を導入してもトラフィックの集中を防止することのできる携帯無線端末を提供することを目的としている。
【課題を解決するための手段】
【０００５】
本発明は、周期的位置登録手段の導入時に携帯無線端末毎に分散された時間で周期的位置登録が行われることを最も主要な特徴としている。
【発明の効果】
【０００６】
本発明の携帯無線端末は、設定された周期内において自機の識別番号情報に応じて分散される分散タイマ値を生成する生成手段と、該生成手段が分散タイマ値を算出した際に前記分散タイマ値が設定され、以後はタイムアップする毎に所定の周期が設定される周期タイマと、前記周期タイマがタイムアップする毎に位置登録を行う位置登録手段とを供えている。これにより、一意とされている携帯無線端末の識別情報に応じて分散されたタイミングで周期的位置登録を行うようになるので、周期的位置登録手段を導入してもトラフィックの集中を防止することができるという利点がある。
【発明を実施するための最良の形態】
【０００７】
周期的位置登録手段を導入してもトラフィックの集中を防止するという目的を、携帯無線端末毎に分散されたタイミングで周期的位置登録行うようにすることで実現した。
【０００８】
本発明の携帯無線端末が属する移動通信網の概要を図１に示す。
図１において、携帯無線端末１は情報端末装置や携帯電話機とされる移動無線端末であり、移動通信網を介して他の携帯無線端末や固定電話との間で会話やメールの授受を行うことができると共に、インターネットに接続してブラウジングやリソースデータのダウンロードを行なうことができるようにされている。移動通信網は、携帯無線端末１と基地局２間における無線通信回線を含む無線アクセスネットワーク（ＲＡＮ）と、移動通信交換局（ＭＳＣ）３，４，５やホームロケーションレジスタ（ＨＬＲ）６が設けられている有線通信回線からなるコアネットワーク（ＣＮ）から構成されている。
【０００９】
基地局はエリア毎に設けられており、基地局２と図示しない基地局からは定期的に位置情報を報知チャネルで放送している。携帯無線端末１は、受信される報知情報が変化した際にルーチング上のエリアが変化したものとして位置登録を行うようにしている。報知情報の変化は以下のようにして検知している。基地局２を含む基地局からは位置登録エリアを示すエリア番号が報知情報により報知されており、携帯無線端末１は常時、自端末内に記憶されている報知されたエリア番号と現在報知されているエリア番号とを照合し、不一致になったときに自機が属するルーチング上のエリアが変化したと検出する。基地局２のエリアに属することの位置登録を行う際には、携帯無線端末１から位置登録信号を移動通信網へ送出する。この位置登録信号は、基地局２を介して移動通信交換局（ＭＳＣ）３へ送られ、ＭＳＣ３では移動通信網内をルーチング可能な位置情報に変換してＨＬＲ６にその位置情報を送出し、ＨＬＲ６では携帯無線端末番号対応にその位置情報を記憶している。これにより、携帯無線端末１が移動してもＨＬＲ６を参照することにより移動した位置を知ることができるようになる。
【００１０】
携帯無線端末１は移動しない場合にも、自端末内に記憶されている報知されたエリア番号に基づく位置登録信号を所定の周期毎に移動通信網へ送出することができる。このようにすると、ある定められた時間以上位置登録信号を送出しない携帯無線端末は電源が断になっているものとして、着信通知をしないようにすることができる。
この場合、携帯無線端末１を始めとする多数の携帯無線端末が属する移動通信網が初めて構築された際には、携帯無線端末は所定の周期毎に位置登録信号を移動通信網へ送出することは行っていなかった。そこで、移動しない場合にも所定の周期毎に携帯無線端末に位置登録信号を送出させるには、稼働中の移動通信網において、所定の周期毎に携帯無線端末に位置登録信号を送出させる手段（以下、「周期的位置登録手段」という）を移動通信網に導入しなければならない。本発明にかかる周期的位置登録手段の導入の動作を図２に示す。
【００１１】
携帯無線端末１は所定の周期毎に位置登録信号を送出するための周期タイマを有しており、周期的位置登録手段を移動通信網に導入する以前には、周期タイマのタイマ時間は”０”に設定されていた。そして、周期タイマのタイマ時間を有意の値に設定することにより、周期的位置登録手段を移動通信網に導入することができる。この周期タイマの設定は、ユーザが行うものではなく移動通信網における制御チャネル等を用いて携帯無線端末１を始めとする各携帯無線端末に設定信号を送ることにより行っている。ここで、周期的位置登録手段を移動通信網に導入すべく時刻ｔ０において各携帯無線端末に周期タイマを時間Ａに設定する設定信号を送ったとする。これを受信した携帯無線端末１を始めとする各携帯無線端末では、自機の周期タイマに時刻ｔ０においてタイマ時間δがセットされるようになる。このタイマ時間δは、携帯無線端末毎に固有の分散されたタイマ時間である。そして、各携帯無線端末においては周期タイマがタイムアップするδ時間後の時刻ｔ１に位置登録信号を送信するようになる。各携帯無線端末の周期タイマに設定されるδ時間は、携帯無線端末の識別情報に応じて生成されており、タイマ時間δは携帯無線端末毎に固有の分散されたタイマ時間となって、時刻ｔ１のタイミングが分散されることから位置登録信号の送信は集中することなく分散して行われるようになる。時刻ｔ１でタイムアップすると設定信号通りの時間Ａが周期タイマにセットされて、時間Ａがタイムアップする時刻ｔ２のタイミングで位置登録信号が送信されるようになる。このように、周期的位置登録手段を導入した時に周期タイマが最初にタイムアップした以後は、タイムアップする毎に設定信号通りの時間Ａが周期タイマにセットされて、時間Ａ毎に周期的に位置登録信号が送信されるようになる。
【００１２】
ここで、タイマ時間δを生成する算出式の一例を次に示す。ただし、タイマ時間δは秒換算値とされており、時間Ａの単位は時間（hour）とされている。
δ＝ＭＳＮ５−Ｒ＊Ａ＊３６００                                （１）
（１）式において、ＭＳＮ５は携帯無線端末の電話番号の下５桁であり、ＲはＭＳＮ５を秒換算した時間Ａで除算した際の整数値である。具体例を挙げてタイマ時間δを算出してみると、電話番号が０９０３９３０９９１６、時間Ａが１時間の場合は、
Ｒ＝〈０９９１６／１＊３６００〉＝２
となり、
δ＝０９９１６−２＊１＊３６００＝２７１６ｓｅｃ
となり、電話番号が０９０３９３０９９１６の携帯無線端末からは２７１６秒後に導入後の最初の位置登録が行われる。
また、電話番号が０９０１１１１１１１１、時間Ａが１時間の場合は、
Ｒ＝〈１１１１１／１＊３６００〉＝１２
となり、
δ＝１１１１１−１２＊１＊３６００＝３１１ｓｅｃ
となり、電話番号が０９０１１１１１１１１の携帯無線端末からは３１１秒後に導入後の最初の位置登録が行われる。このように、タイマ時間δは設定された時間Ａ内において電話番号に応じて秒単位で分散するようになる。従って、導入後の最初の位置登録は設定された時間Ａ内において各携帯無線端末の電話番号に応じて分散して行われるようになる。そして、その後の周期的な位置登録は時間Ａ毎のタイミングで行われるが、タイマ時間δが異なることからその後の周期的な位置登録も各携帯無線端末の電話番号に応じて分散して行われるようになる。
なお、携帯無線端末の識別情報は電話番号に限らず携帯無線端末に一意に与えられているＭＳＩとしてもよい。
【００１３】
本発明の携帯無線端末においては、以上説明したように携帯無線端末の識別情報を用いて固有のタイマ時間δを生成することができ、周期的位置登録によるトラフィックを分散することができるようになる。
なお、移動通信網において携帯無線端末が複数の群に分割されている場合は、周期的位置登録手段を導入する際に設定する所定のタイマ時間を群毎に変えることによりトラフィックの集中を防止するようにしても良い。また、移動通信網のエリアを単位として導入する際に設定する所定のタイマ時間をエリアを単位として変えることによりトラフィックの集中を防止するようにしても良い。この場合、周期タイマがタイムアップする毎に所定のタイマ時間が設定されるようになる。この設定する所定のタイマ時間の設定情報は当該エリアの基地局から放送することにより、当該エリアに属する携帯無線端末の周期タイマに設定するようにすればよい。
【産業上の利用可能性】
【００１４】
以上の説明では、周期的位置登録について説明したが、地下鉄等の出口廃道通信網の圏外から圏内に移行する地点とされている。このような地点においては携帯無線端末が圏外にあった際に送信できなかったメールが一斉に送信されるようになり、トラフィックが集中するようになる。そこで、設定する時間Ａを１８０秒程度に設定して上記（１）式を演算し、生成したタイマ時間δを上記した周期タイマを適用して、そのタイマ時間δ後にメールを送信するようにすると、携帯無線端末に固有の分散された時間後にメールの送信を行うことができるようになり、トラフィックの集中を防止することができる。
【図面の簡単な説明】
【００１５】
【図１】本発明にかかる携帯無線端末が属する移動通信網の概要を示す図である。
【図２】本発明にかかる携帯無線端末が属する移動通信網において、移動しない場合にも所定の周期毎に携帯無線端末に位置登録信号を送出させる手段を導入する際の動作を示す図である。
【図３】従来の移動通信網において、移動しない場合にも所定の周期毎に携帯無線端末に位置登録信号を送出させる手段を導入する際の動作を示す図である。
【符号の説明】
【００１６】
１  携帯無線端末
２  基地局
３，４，５  ＭＳＣ
６  ＨＬＲ
【図１】
2005101897.tif 000003
【図２】
2005101897.tif 000004
【図３】
2005101897.tif 000005